(57)【要約】【課題】データを送信する時に、データの送信先の選択ミスによる誤送信を防ぐことができる通信装置の提供。【解決手段】通信装置であるファクシミリ装置１は、原稿読み取り部５、送信先情報抽出部７ａ、記憶部６、操作部３ｂ、表示部３ａ、第１通信部２ａ及び第２通信部２ｂを備える。原稿読み取り部５は、送信先情報と図柄情報とを含む画像データを取得する。送信先情報抽出部７ａは、画像データから、送信先情報を抽出する。記憶部６は、図柄情報と送信先情報とを関連づけて記憶する。操作部３ｂが、任意のデータの送信指示を受け付けると、表示部３ａは、記憶部６内の送信先情報と図柄情報とを関連づけて表示し、操作部３ｂは、表示している送信先情報の中から任意のデータを送信すべき送信先情報の指定を受け付ける。第１通信部２ａ及び第２通信部２ｂは、指定された送信先情報宛に、任意のデータを送信する。【選択図】図１
2008187630.tif 000002
【特許請求の範囲】
【請求項１】
送信先情報と図柄情報とを含む画像データを取得するデータ取得部と、
前記画像データから、前記送信先情報を抽出する送信先情報抽出部と、
前記図柄情報と前記送信先情報とを関連づけて記憶する記憶部と、
任意のデータの送信指示を受け付け可能な指示受付部と、
前記指示受付部が前記任意のデータの送信指示を受け付けた場合、前記記憶部内の前記送信先情報と前記図柄情報とを関連づけて表示し、表示している前記送信先情報の中から前記任意のデータを送信すべき前記送信先情報の指定を受け付ける送信先指定受付部と、
指定された前記送信先情報宛に、前記任意のデータを送信する送信部と、
を備える通信装置。
【請求項２】
前記図柄情報は、シンボルマーク及び写真の少なくともいずれかを含む、請求項１に記載の通信装置。
【請求項３】
前記送信先情報及び前記図柄情報が記載されている記録紙のサイズを検知するサイズ検知部を更に備え、
前記データ取得部は、前記サイズ検知部により検知された前記記憶紙のサイズに基づいて、前記送信先情報及び前記図柄情報を含む前記画像データを取得する、請求項１または２に記載の通信装置。
【請求項４】
前記データ取得部は、前記記録紙が、前記送信先情報及び前記図柄情報が記載された名刺である場合、前記名刺を読み取り、前記名刺に記載されている前記送信先情報及び前記図柄情報を含む前記画像データを取得する読み取り部である、請求項３に記載の通信装置。
【発明の詳細な説明】
【技術分野】
【０００１】
本発明は、通信装置に関する。
【背景技術】
【０００２】
従来より、名刺には、氏名、組織名、電話番号、ＦＡＸ番号やメールアドレス等が記載されている。このような名刺を有効に活用するための技術として、特許文献１、特許文献２及び特許文献３に示すものが知られている。特許文献１には、名刺を読み取り得られた画像データからメールアドレスを抽出し、このメールアドレスをアドレスリストに記憶する方法が開示されている。特許文献２には、名刺に書かれている氏名、組織名、住所及び電話番号と、この名刺を取得した日とが関連づけられたデータベースを管理するシステムが開示されている。また、特許文献３には、名刺に記載されているＱＲコードを読み取り、そのＱＲコードから電話番号や氏名などの名刺に記載されている文字に関する情報を取得する装置が開示されている。
【特許文献１】特開平１１−２７３１３号公報
【特許文献２】特開平９−６９１２８号公報
【特許文献３】特開２００３−１５４７７４号公報
【発明の開示】
【発明が解決しようとする課題】
【０００３】
ところで、一般的に、名刺に記載されたメールアドレス宛にメールを送信しようと試みる場合、ユーザは、名刺を見ながらメールアドレスを入力する。しかし、メールアドレスの入力時に入力ミス等が発生してしまうおそれがある。
【０００４】
一方で、特許文献１〜３に示すように、メールアドレスが既にアドレスリスト等に登録されていると、メールアドレスの入力ミスは生じない他、メールアドレスを入力する手間がかからずに済む。しかしながら、ユーザがメールアドレスを選択する際、例えば所望のメールアドレスと類似しているメールアドレスがある場合等においては、所望のメールアドレスではなく、誤って他のメールアドレスを選択してしまう選択ミスが生じるおそれがある。すると、メールの誤送信が生じてしまう。
【０００５】
そこで、本発明は、例えばメール等の手段によりデータを送信する時に、データの送信先の選択ミスによる誤送信を防ぐことができる通信装置の提供を目的とする。
【課題を解決するための手段】
【０００６】
発明１に係る通信装置は、データ取得部と、送信先情報抽出部と、記憶部と、指示受付部と、送信先指定受付部と、送信部とを備える。データ取得部は、送信先情報と図柄情報とを含む画像データを取得する。送信先情報抽出部は、画像データから、送信先情報を抽出する。記憶部は、図柄情報と送信先情報とを関連づけて記憶する。指示受付部は、任意のデータの送信指示を受け付ける。送信先指定受付部は、指示受付部が任意のデータの送信指示を受け付けた場合、記憶部内の送信先情報と図柄情報とを関連づけて表示し、表示している送信先情報の中から任意のデータを送信すべき送信先情報の指定を受け付ける。そして、送信部は、指定された送信先情報宛に、任意のデータを送信する。
【０００７】
送信先情報としては、例えばＦＡＸ番号やメールアドレスが挙げられる。図柄情報としては、例えばシンボルマーク等が挙げられる。この通信装置は、ユーザがデータを送信しようとする時、記憶部内に記憶している図柄情報と送信先情報とを共に表示する。これにより、ユーザは、送信先情報のみからではなく、更に図柄情報に基づいて送信先情報を選択することができるため、ユーザが送信先情報のみを参照してデータを送信すべき送信先情報を選択した場合に比して、誤って他の送信先情報を選択する場合が少なくなる。従って、任意のデータの誤送信を抑制することができる。
【０００８】
発明２に係る通信装置は、発明１に係る通信装置であって、図柄情報は、シンボルマーク及び写真の少なくともいずれかを含む。
【０００９】
このような通信装置を利用するユーザは、シンボルマークや写真の画像に基づいて、所望の送信先情報を適切に選択することができる。
【００１０】
発明３に係る通信装置は、発明１または２に係る通信装置であって、サイズ検知部を更に備える。サイズ検知部は、送信先情報及び図柄情報が記載されている記録紙のサイズを検知する。そして、データ取得部は、サイズ検知部により検知された記憶紙のサイズに基づいて、送信先情報及び図柄画像データを取得する。
【００１１】
これにより、通信装置は、どのようなサイズの記録紙からでも画像データを取得することができ、その画像データからメールアドレスやＦＡＸ番号を抽出することができる。
【００１２】
発明４に係る通信装置は、発明３に係る通信装置であって、データ取得部は、記録紙が、送信先情報及び図柄情報が記載された名刺である場合、名刺を読み取り、名刺に記載されている送信先情報及び図柄情報を含む画像データを取得する読み取り部である。
【００１３】
これにより、通信装置は、ユーザが持っている名刺から、名刺に記載されているメールアドレス及びＦＡＸ番号や図柄情報を抽出することができる。
【発明の効果】
【００１４】
本発明の通信装置によると、データを送信する時、ユーザは、メールアドレスやＦＡＸ番号の送信先情報のみではなく、写真やシンボルマーク等の画像データに基づいて送信先情報を選択することができる。従って、送信先情報の選択ミスを防ぐことができるため、データの誤送信を防止することができる。
【発明を実施するための最良の形態】
【００１５】
（１）構成
図１は、本実施形態に係る通信装置が採用されたファクシミリ装置１の構成を模式的に示すブロック図である。このファクシミリ装置１は、公衆回線を介して他のファクシミリ装置と接続されている他、ＩＰネットワークを介してＰＣ等の他の装置と接続されている。従って、このファクシミリ装置１には、ＦＡＸ番号及びＩＰアドレスが割り当てられている。
【００１６】
図１のファクシミリ装置１は、第１通信部２ａ、第２通信部２ｂ（第１通信部及び第２通信部は共に送信部に相当）、操作パネル３、検知部４、原稿読み取り部５（データ取得部に相当）、記憶部６、制御部７及びその他の入出部を含む。その他の入出部としては、例えばファクシミリ装置１外部から取得した画像形成の開始指示に基づいて、画像形成を行う画像形成部等が挙げられる。
【００１７】
第１通信部２ａは、ＩＰネットワークを介して接続されたＰＣ等の他の装置と通信を行うものであって、他の装置とデータの送受信を行うことができる。特に、本実施形態に係る第１通信部２ａは、他の装置に電子メールを送信することができる。
【００１８】
第２通信部２ｂは、公衆回線介して接続された他のファクシミリ装置と通信を行うものであって、ＦＡＸ番号を用いて他のファクシミリ装置にデータの送受信を行うことができる。
【００１９】
操作パネル３は、図１及び図２に示すように、表示部３ａ（送信先指定受付部に相当）と操作部３ｂ（指示受付部に相当）とを有している。表示部３ａは、タッチパネル式の液晶ディスプレイで構成されており、ユーザは、この表示部３ａに触れることで各種条件の設定等を行うことができる。操作部３ｂは、図２に示すように、ＦＡＸ送信やメール送信を指示するためのスタートキーや、原稿の読み取り及びメール送信設定のための設定キー及び数値入力のためのテンキー等を有している。
【００２０】
検知部４は、ファクシミリ装置１に設けられた原稿載置台（図示せず）上に載置された原稿のサイズを検知する。検知部４により検知された原稿のサイズは、制御部７に出力される。例えば、原稿載置台上に載置された原稿が名刺である場合、検知部４は、サイズを名刺サイズであると読み取る。
【００２１】
原稿読み取り部５は、ファクシミリ装置１に設けられた原稿載置台（図示せず）上に載置された原稿を読み取り、画像データ（以下、第１画像データという）を取得するものであって、図示しない光学系等を有している。原稿読み取り部５により取得された第１画像データは、制御部７に出力される。尚、本実施形態では、以下より、原稿が名刺であって、この名刺には、氏名や住所、電話番号の他に、ＦＡＸ番号及びメールアドレス（送信先情報に相当）、シンボルマークや写真などの画像が記載されている場合を例に取る。従って、原稿読み取り部５がこのような名刺を読み取った場合、第１画像データには、メールアドレス等の文字データと、シンボルマークや写真の画像データ（図柄情報に相当。以下、第２画像データという）とが含まれる。
【００２２】
記憶部６は、例えばＨＤＤやフラッシュメモリ等であって、他の装置から受信したデータや、第１画像データ中に含まれるシンボルマークや写真などの第２画像データ、制御部７により実行される各種プログラムの他に、アドレスリストデータベース６ａ（以下、アドレスリストＤＢという）を記憶している。ここで、アドレスリストＤＢ６ａについて説明する。アドレスリストＤＢ６ａは、送信先情報と第２画像データとを対応づけるものであって、図３には、ＦＡＸ番号と、メールアドレスと、第２画像データ識別情報とを対応づけたアドレスリストＤＢ６ａの例が示されている。尚、図３のＦＡＸ番号及びメールアドレスは、原稿読み取り部５により取得された第１画像データ内に含まれるＦＡＸ番号及びメールアドレスであって、第２画像データ識別情報は、その第１画像データ内に含まれるシンボルマークや写真等の第２画像データを識別するための情報である。第２画像データ識別情報は、制御部７の画像データ抽出部７ｂ（後述）により割り当てられる。
【００２３】
制御部７は、ワークメモリとして用いられるＲＡＭ及びＣＰＵを含むマイクロコンピュータで構成されており、図１に示すように、通信部２、操作パネル３、検知部４、原稿読み取り部５、記憶部６及びその他の入出部と接続されている。制御部７は、接続された各入出力部の動作の制御等を行う。特に、本実施形態に係る制御部７は、検知部４により検知された原稿のサイズが名刺のサイズである場合、先ずは自動的に名刺読み取りモードに設定し、次いでアドレスリストＤＢ６ａの更新等を行ったり、ユーザによりメールやＦＡＸを用いた任意のデータの送信指示がなされた場合、表示部３ａがアドレスリストを表示するように表示部３ａを制御したりする。このような制御を行うため、制御部７は、送信先情報抽出部７ａ、第２画像データ抽出部７ｂ、書き込み部７ｃ及び画面情報生成部７ｄとして機能する。
【００２４】
送信先情報抽出部７ａは、原稿読み取り部５から出力された第１画像データから、ＦＡＸ番号やメールアドレスである送信先情報を抽出する。
【００２５】
ここで、ＦＡＸ番号の抽出方法については、例えば以下のような方法が挙げられる。一般的に、ＦＡＸ番号の記載には、ＦＡＸ番号の前には「ＦＡＸ」の文字が記載されている。そこで、送信先情報抽出部７ａは、第１画像データの中から「ＦＡＸ」の文字を検索し、次いで「ＦＡＸ」の文字の後に記載されている文字列をＦＡＸ番号であると判断する。
【００２６】
また、メールアドレスの抽出方法については、例えば以下のような方法が挙げられる。一般的に、メールアドレスは、「メールアカウント」「＠」「ドメイン」の順に構成されている。そこで、送信先情報抽出部７ａは、第１画像データの中から「＠」を検索し、次いで「＠」の前後に文字であると認識されるものがあるか否かを判断する。「＠」の前後に文字がある場合、送信先情報抽出部７ａは、それがメールアドレスであると判断する。
【００２７】
第２画像データ抽出部７ｂは、原稿読み取り部５から出力された第１画像データから、シンボルマーク及び写真などの第２画像データを抽出する。例えば、第２画像データ抽出部７ｂは、第１画像データの中から、第１画像データ内に含まれる文字データを除くデータを第２画像データとして特定する。そして、第２画像データ抽出部７ｂは、抽出した第２画像データを記憶部６内に格納すると共に、第２画像データ毎に第２画像データ識別情報を付す。
【００２８】
書き込み部７ｃは、送信先情報抽出部７ａにより抽出されたメールアドレスやＦＡＸ番号と、第２画像データ抽出部７ｂにより付された第２画像データ識別情報とを、記憶部６内のメールアドレスリストＤＢ６ａに書き込む。
【００２９】
画面情報生成部７ｄは、操作パネル３の表示部３ａに表示される画面情報を生成して表示部３ａに出力する。例えば、操作部３ｂを介してユーザによりデータ送信指示がなされると、画面情報生成部７ｄは、記憶部６内のアドレスリストＤＢ６ａに基づいて、表示部３ａに図４のアドレスリストが表示されるように、アドレスリストの画面情報を生成する。尚、図４では、表示部３ａに表示されたアドレスリスト上から、データの送信先として用いたい所望のメールアドレス及びＦＡＸ番号をユーザが指定できるように、各メールアドレス及びＦＡＸ番号毎にチェックボックス１６が付されている。
【００３０】
（２）動作
次いで、本実施形態に係るファクシミリ装置１の動作について、図５〜７を用いて説明する。図５は、ファクシミリ装置１が行う動作の全体的な流れを示すフローチャートである。
【００３１】
ステップＳ１：ユーザにより原稿載置台に原稿が載置され、操作部３ｂを介して原稿の読み取り指示がなされた場合、検知部４は、載置された原稿のサイズを検知する。
【００３２】
ステップＳ２〜３：ステップＳ１において、検知部４により検知された原稿のサイズが名刺サイズである場合（Ｓ２のＹＥＳ）、ファクシミリ装置１は、アドレスリストＤＢ６ａ更新動作を行う（Ｓ３）。尚、アドレスリストＤＢ６ａの更新動作については、後述する。
【００３３】
ステップＳ４：ステップＳ２において、検知された原稿のサイズが名刺サイズでない場合（Ｓ２のＮＯ）、原稿読み取り部５は、通常時のモード（即ち通常モード）で原稿を読み取る。このようにして取得された第１画像データは、一時的に記憶部６内に格納される。
【００３４】
ステップＳ５〜６：また、ユーザにより操作部３ｂを介してデータ送信指示がなされた場合（Ｓ５）、ファクシミリ装置１は、データ送信動作を行う（Ｓ６）。データ送信動作については、後述する。
【００３５】
ファクシミリ装置１は、上記Ｓ１〜Ｓ６の動作を繰り返し行う。即ち、原稿読み取り指示がなされた場合には（Ｓ１）、ファクシミリ装置１はステップＳ２〜Ｓ４の動作を行い、データ送信指示がなされた場合には（Ｓ５）、ファクシミリ装置１はデータ送信動作を行う（Ｓ６）。
【００３６】
（２−１）アドレスリストＤＢの更新動作
図６は、本実施形態に係るファクシミリ装置１が行うアドレスリストＤＢ６ａの更新動作の流れを示すフローチャートである。
【００３７】
ステップＳ１１：図５のステップＳ２において、原稿のサイズが名刺サイズであるため、制御部７は、載置された原稿が名刺であると判断し、ファクシミリ装置１を名刺読み取りモードに設定する。
【００３８】
ステップＳ１２：原稿読み取り部５は、原稿載置台に載置された名刺を読み取り、第１画像データを取得する。そして、原稿読み取り部５は、第１画像データを制御部７に出力する。
【００３９】
ステップＳ１３：制御部７の送信先情報抽出部７ａは、第１画像データからメールアドレス及びＦＡＸ番号を含む送信先情報を抽出する。第２画像データ抽出部７ｂは、第１画像データからシンボルマークや写真等の第２画像データを抽出して第２画像データ識別情報を付すと共に、抽出した第２画像データを記憶部６内に格納する。
【００４０】
ステップＳ１４：書き込み部７ｃは、ステップＳ１３において抽出された送信先情報と第２画像データ識別情報とを対応づけて、記憶部６内のアドレスリストＤＢ６ａに書き込む。
【００４１】
（２−２）データ送信動作
図７は、本実施形態に係るファクシミリ装置１が行うデータ送信動作の流れを示すフローチャートである。
【００４２】
ステップＳ２１：先ず、制御部７は、記憶部６内のアドレスリストＤＢ６ａに送信先情報及び第２画像データ識別情報のデータがあるか否かを判断する。
【００４３】
ステップＳ２２：判断部７が、記憶部６内のアドレスリストＤＢ６ａにデータがあると判断した場合には（Ｓ２１のＹＥＳ）、制御部７の画面情報生成部７ｄは、アドレスリストＤＢ６ａ内の第２画像データ識別情報に基づいて、記憶部６内から第２画像データを取り出す。そして、画面情報生成部７ｄは、アドレスリストＤＢ６ａ内の送信先情報と、取り出した第２画像データとを対応づけて表示部３ａに表示させるための画面情報を生成する。これにより、表示部３ａには、図４に示すようなアドレスリストが表示される（Ｓ２２）。また、この時、表示画面上から第２画像データが選択されると、選択された第２画像データが拡大表示されてもよい。
【００４４】
ステップＳ２３：判断部７が、記憶部６内のアドレスリストＤＢ６ａにデータがないと判断した場合には（Ｓ２１のＮＯ）、制御部７の画面情報生成部７ｄは、その判断結果を表示部３ａに表示させるための画面情報を生成する。この場合、表示部３ａには、「記憶しているメールアドレス及びＦＡＸ番号はありません」と表示される（Ｓ２３）。
【００４５】
ステップＳ２４〜２５：ステップＳ２２において、表示部３ａにアドレスリスト（図４）が表示された状態で、ユーザにより、操作部３ｂを介して図４中のチェックボックス１６に印が付されることで、その印が付されたＦＡＸ番号またはメールアドレスが指定された場合（Ｓ２４）、第１通信部２ａ及び第２通信部２ｂは、データを送信する。具体的には、メールアドレスに対応して設けられたチェックボックス１６に印が付された場合、第１通信部２ａは、印の付されたチェックボックス１６に対応するメールアドレス宛に、データをメールで送信する。また、ＦＡＸ番号に対応して設けられたチェックボックス１６に印が付された場合、第２通信部２ｂは、印の付されたチェックボックス１６に対応するＦＡＸ番号宛に、公衆回線を介してデータを送信する。
【００４６】
（３）効果  
このファクシミリ装置１は、ユーザがデータを送信しようとする時、記憶部６内に記憶しているアドレスリストＤＢ６ａに基づいて、図４に示すように第２画像データ（即ち図柄情報）と送信先情報とを共に表示する。これにより、ユーザは、メールアドレスやＦＡＸ番号である送信先情報のみからではなく、更に第２画像データに基づいて送信先情報を選択することができる。そのため、ユーザがメールアドレスやＦＡＸ番号のみを参照してメールアドレスやＦＡＸ番号を選択した場合に比して、誤って他のメールアドレスやＦＡＸ番号を選択する場合が少なくなる。従って、データの誤送信を抑制することができる。
【００４７】
また、第２画像データには、シンボルマークや写真が含まれる。従って、このようなファクシミリ装置１を利用するユーザは、シンボルマークや写真等の画像に基づいて、所望の送信先情報を適切に選択することができる。
【００４８】
また、ファクシミリ装置１は、名刺を読み取り名刺に記載されているメールアドレス及びＦＡＸ番号の送信先情報を含む第１画像データを取得する。従って、ファクシミリ装置１は、ユーザが持っている名刺から、名刺に記載されている送信先情報や第２画像データを取得することができる。
【００４９】
＜その他の実施形態＞
（ａ）上記実施形態では、表示部３ａにアドレスリストが表示される場合、シンボルマークや写真を含む第２画像データを表示するとしたが、アドレスリストに表示される画像は、これに限定されない。例えば、原稿が名刺である場合、名刺自体の画像を別の第２画像データとして表示してもよい。この場合、記憶部６内のアドレスリストＤＢ６ａには、メールアドレスやＦＡＸ番号である送信先情報と、名刺自体のデータとが対応づけて記憶される。これにより、表示部３ａに表示されるアドレスリストには、送信先情報と名刺自体の画像データとが表示される。
【００５０】
（ｂ）上記実施形態に係るファクシミリ装置１が行うアドレスリストＤＢ６ａの更新動作において、画像データ抽出部７ｂが第２画像データを抽出する際（図６のＳ１３）、抽出された第２画像データは、表示部３ａに表示されてもよい。この場合、ユーザは、表示部３ａを通じてシンボルマークや写真が抽出されたか否かを確認することができる。更に、ユーザが、抽出された第２画像データについて例えば記憶部６に記憶させる画像の範囲の指定等の編集を行うことができるように、第２画像データが編集画面上で表示されるとよい。
【００５１】
また、抽出されたメールアドレスにおいても、第２画像データと同様に、編集可能に表示部３ａに表示されるとよい。
【００５２】
（ｃ）上記実施形態では、原稿が名刺の場合を例に取り説明したが、本発明に係るファクシミリ装置１は、名刺以外の原稿を読み取る場合にも用いることができる。即ち、ファクシミリ装置１の検知部４は、原稿載置台に載置された原稿のサイズを検知し、原稿読み取り部５は検知された原稿のサイズに基づいて原稿を読み取る。これにより、ファクシミリ装置１は、どのようなサイズの原稿からでも、画像データを抽出することができ、その画像データからメールアドレスを適切に抽出することができる。
【００５３】
（ｄ）上記実施形態では、原稿が原稿読み取り部５により読み取られることで第１画像データが取得される場合について説明したが、第１画像データは、ファクシミリ装置１と接続されている他の装置から通信部２を介して取得されてもよい。
【産業上の利用可能性】
【００５４】
本発明に係る通信装置は、ファクシミリ装置の他、プリンタ、ファクシミリ及びスキャナとしての機能を併せ持つ複合機等の、メールを送信可能なメール送信機能や公衆回線を通じてＦＡＸを送信可能なＦＡＸ送信機能を有する装置に適用できる。
【図面の簡単な説明】
【００５５】
【図１】本実施形態の通信装置が採用されたファクシミリ装置の構成を模式的に示すブロック図。
【図２】本実施形態のファクシミリ装置が有する操作パネルの構成図。
【図３】アドレスリストＤＢの概念説明図。
【図４】本実施形態に係るファクシミリ装置の表示部に表示されるアドレスリストの例。
【図５】本実施形態のファクシミリ装置が行う動作の全体的な流れを示すフローチャート。
【図６】本実施形態のファクシミリ装置が行うアドレスリストＤＢ更新動作の流れを示すフローチャート。
【図７】本実施形態のファクシミリ装置が行うデータ送信動作の流れを示すフローチャート。
【符号の説明】
【００５６】
１  ファクシミリ装置
２ａ  第１通信部
２ｂ  第２通信部
３  操作パネル
３ａ  表示部
３ｂ  操作部
４  検知部
５  原稿読み取り部
６  記憶部
７  制御部
７ａ  送信先情報抽出部
７ｂ  第２画像データ抽出部
７ｃ  書き込み部
７ｄ  画面情報生成部
【図１】
2008187630.tif 000003
【図２】
2008187630.tif 000004
【図３】
2008187630.tif 000005
【図４】
2008187630.tif 000006
【図５】
2008187630.tif 000007
【図６】
2008187630.tif 000008
【図７】
2008187630.tif 000009